(57)【要約】  【課題】  傘の美観の向上を図ることができる技術を提案する。  【解決手段】  開閉可能な傘であって、閉じた状態の上記傘の周囲に巻き回されることにより上記傘を束ねるバンドと、上記バンドを保持可能である保持部と、を備えている。当該保持部は、上記傘の傘布の表側における上記バンドの露出量が相対的に大きい第１の状態と、上記露出量が相対的に小さい第２の状態と、に遷移可能に保持するように構成されている。【選択図】図１
2016214687.tif 000002
【特許請求の範囲】
【請求項１】
開閉可能な傘であって、
閉じた状態の前記傘の周囲に巻き回されることにより前記傘を束ねるバンドと、
前記バンドを、前記傘の傘布の表側における前記バンドの露出量が相対的に大きい第１の状態と、前記露出量が相対的に小さい第２の状態と、に遷移可能に保持する保持部と、を備える
ことを特徴とする傘。
【請求項２】
前記保持部は、前記傘布の表側から裏側に繋がる開口を有しており、
前記バンドは、前記開口から前記表側に突出する突出量を変化可能に構成されており、該突出量が変化することで、前記バンドの前記露出量が変化する
ことを特徴とする請求項１に記載の傘。
【請求項３】
前記保持部は、前記傘布に設けられたシート状のシート部を有しており、
前記バンドは、前記傘布と前記シート部との間の空間において前記シート部により保持され、前記空間から該空間の外部に突出する突出量を変化可能に構成されており、該突出量が変化することで、前記バンドの前記露出量が変化する
ことを特徴とする請求項１に記載の傘。
【請求項４】
前記バンドの少なくとも一部は、長さ方向に伸縮する伸縮部である
ことを特徴とする請求項１から請求項３のいずれか１項に記載の傘。
【請求項５】
前記保持部は、前記バンドを挿入可能な環状部を有し、該環状部により、該環状部に前記バンドが挿入された状態の前記バンドを保持する
ことを特徴とする請求項１から請求項４のいずれか１項に記載の傘。
【請求項６】
前記保持部は、前記バンドが前記傘布の外縁から中央に向かう方向に沿って移動可能に前記バンドを保持する
ことを特徴とする請求項５に記載の傘。
【発明の詳細な説明】
【技術分野】
【０００１】
本発明は、傘布部分にバンドを有する傘に関する。
【背景技術】
【０００２】
従来、傘布にバンドが設けられている傘がある。傘を閉じたときにバンドを傘の周囲に巻きつけることで傘布を小さく束ねることができる。このような傘において、バンドが傘布から垂れ下がることにより、美観が損なわれる場合があった。そこで、傘布に面ファスナ等を設けてバンドを固定することにより、バンドの位置を固定できる傘が提案されている（例えば特許文献１参照）。
【先行技術文献】
【特許文献】
【０００３】
【特許文献１】登実−３１７０２４５号公報
【発明の概要】
【発明が解決しようとする課題】
【０００４】
特許文献１の発明では、バンド自体を隠すことはできない。よって、バンドが存在することにより美観が低下してしまう恐れがあった。また、傘を束ねるためにはバンドが傘布の外側に露出している必要があるが、デザインの一部として用いたい場合には、その露出量を調整したいという要望があった。
【０００５】
本発明の目的は、傘の美観の向上を図ることができる技術を提案することである。
【課題を解決するための手段】
【０００６】
本発明の第１の態様は、開閉可能な傘であって、閉じた状態の前記傘の周囲に巻き回されることにより前記傘を束ねるバンドと、前記バンドを、前記傘の傘布の表側における前記バンドの露出量が相対的に大きい第１の状態と、前記露出量が相対的に小さい第２の状態と、に遷移可能に保持する保持部と、を備えることを特徴とする傘である。
【０００７】
このように構成された傘であれば、傘布の表側におけるバンドの露出量を調整することができる。これにより、例えば、バンドが傘のデザインにおいて必要な要素でなければ露出量を減らし、デザインの一部であれば露出量を増加させる、といったことが可能となるため、傘の美観向上を図ることができる。
【０００８】
なお、上述した第１の態様の傘において、保持部は、前記傘布の表側から裏側に繋がる開口を有しており、前記バンドは、前記開口から前記表側に突出する突出量を変化可能に構成されており、該突出量が変化することで、該バンドの前記露出量が変化するように構成されていてもよい。
【０００９】
このように構成された傘であれば、バンドにおける傘布の表側への突出量を調整することで、バンドの露出量を調整できる。
傘布の裏側とは、傘布における最も表側の面に対して裏に位置する側を意味する。つまり、傘のシャフト側から視認できない位置であっても、傘布の最も表側の面を基準として裏側となっていれば、その部分は傘布の裏側に該当する。
【００１０】
また、上述した第１の態様の傘において、前記バンドの少なくとも一部は、長さ方向に伸縮する伸縮部であってもよい。
このように構成された傘であれば、バンドの伸縮部を伸縮させることで、第１の状態と第２の状態との間を遷移させることができる。
【００１１】
また、上述した第１の態様の傘において、前記保持部は、前記バンドを挿入可能な環状部を有し、該環状部により、該環状部に前記バンドが挿入された状態の前記バンドを保持する構成であってもよい。
【００１２】
このように構成された傘であれば、環状部によってバンドを挿入方向に移動可能に保持することができる。
なお、上記環状部を有する傘においては、前記保持部は、前記バンドが前記傘布の外縁から中央に向かう方向に沿って移動可能に前記バンドを保持する構成としてもよい。
【図面の簡単な説明】
【００１３】
【図１】第１実施形態の傘を示す図であって、図１（Ａ）が傘を開いた状態の側面図であり、図１（Ｂ）が傘を開いた状態の握柄１５を省略した底面図である。
【図２】バンド周辺の拡大図であって、図２（Ａ）が傘布の表側から見た図であり、図２（Ｂ）が傘布の裏側から見た図であり、図２（Ｃ）が傘布の外から中心側に向かって見た模式図である。
【図３】バンドの露出量の変化を説明する図であって、（Ａ）が第１の状態を示す図であり、（Ｂ）が第２の状態を示す図である。
【図４】バンドにより傘を束ねた状態を説明する側面図である。
【図５】第２実施形態の傘におけるバンド周辺の拡大図であって、図５（Ａ）が傘布の表側から見た図であり、図５（Ｂ）が傘布の裏側から見た図であり、図５（Ｃ）が装飾部を引き出した状態のバンド及び保持部の拡大図である。
【図６】図６（Ａ），（Ｂ）とも、バンドにより傘を束ねた状態を説明する側面図である。
【図７】傘の変形例を説明する図であって、図７（Ａ）が装飾部を引き出した状態のバンド及び保持部の拡大図であり，図７（Ｂ）が傘布を表側から見た図であり、図７（Ｃ）が傘布の裏側から見た図である。
【発明を実施するための形態】
【００１４】
以下に本発明の実施形態を図面と共に説明する。
［１．第１実施形態］
（１−１）傘の構成
図１（Ａ），（Ｂ）に本実施形態の傘１を示す。傘１は、傘軸（シャフト）１１，石突１３，握柄１５，親骨１７，傘布１９，バンド２１，保持部３１などを有する。
【００１５】
傘軸１１は金属製の円筒状の部材であって、一端に石突１３が設けられ、他端に握柄１５が設けられる。なお以下の記載においては、説明の便宜上、上記一端を傘の先端、他端を後端として記載する。
【００１６】
傘軸１１の先端側には、複数（本実施形態においては８本）の親骨１７が傘軸１１に設けられた上ロクロ１１ａを介して傘軸１１に連結されている。親骨１７は上ロクロ１１ａに設けられた図示しない回転軸に一端が連結されて、当該軸を中心として親骨１７の他端と傘軸１１との間の距離が変化するように回転変位可能となっている。
【００１７】
親骨１７は傘１の上方及び下方から見て傘軸１１を中心とした放射状となるように配置されている。また親骨１７は、図示しない支骨に連結されており、支骨は傘軸１１をスライド可能に外嵌された図示しない下ロクロに連結されている。そして、下ロクロをスライドさせると支骨の変位に応じて親骨１７が上述したように回転変位し、それにより傘１の開閉が実現する。
【００１８】
傘布１９は、傘軸１１を中心として拡がるように親骨１７に張り付けられている。傘布１９は親骨１７それぞれに対して親骨１７の先端を含む複数個所で固定されており、傘１を開いたときには傘布１９は親骨１７に伴って広がった状態となる。
【００１９】
図２（Ａ）〜（Ｃ）に示すように、バンド２１は、紐部２３と、リング部２５と、リング係止部２７と、を有しており、傘布１９に設けられた保持部３１によって傘布１９上に保持される。
【００２０】
紐部２３は紐状の長さを有する部材であって、長さ方向の一端にリング部２５が設けられ、他端にリング係止部２７が設けられる。紐部２３は伸縮性及び弾性を有しており、手などで引っ張ることで長さ方向に弾性変形して伸び、手を離し荷重を掛けない状態とすると元の長さに縮んで戻る。
【００２１】
リング部２５は環状形状であって、弾性変形する。リング係止部２７は鏃形状であって、鏃の先端部からリング部２５の内部を通過させることができるが、通過させた状態からリング係止部２７を抜こうとすると鏃の後端部がリング部２５に係止し、リング部２５からリング係止部２７が抜けることが抑制される。
【００２２】
保持部３１は、隣接する２つの親骨１７の間における中央部に設けられ、傘布１９に形成された傘布の表側から裏側に繋がる開口３３と、傘布１９の裏面に貼り付けられた被覆布３５と、を有する。
【００２３】
開口３３は、紐部２３が移動可能な大きさであるが、リング部２５及びリング係止部２７に対してはそれらを変形させなければ通過できない大きさとなっている。
被覆布３５は一方に長さを有する矩形の布であって、長さ方向の一端が開口３３近傍に配置され、他端が傘布１９の外縁に沿った位置に配置される。被覆布３５の上記一端及び他端を除く外周部分３５ａは傘布１９に貼り付けて固定されている。その結果、傘布１９と被覆布３５とによって環状（筒状）の環状部３７が形成される。環状部３７は、傘布１９の外縁から中央に向かう方向に長さを有するものとなっており、紐部２３は環状部３７の内部に形成される空間を移動可能である。
【００２４】
このように構成された保持部３１により、図３（Ａ），（Ｂ）に示すように、バンド２１は、環状部３７の長手方向に移動可能に保持される。
図３（Ａ）は、紐部２３全体を傘軸１１方向（傘布１９の中心方向）に移動させることで、紐部２３の傘布１９の表側への突出量を相対的に大きくした状態（本発明における第１の状態）を示している。また図３（Ｂ）は、紐部２３全体を傘布１９の外縁方向に移動させることで、その突出量を相対的に小さくした状態（本発明における第２の状態）を示している。突出量が大きくなれば、その分、傘布１９の表側への露出が大きくなる。
【００２５】
このように、保持部３１は、傘布１９の表側におけるバンド２１の露出量が相対的に大きい第１の状態と、上記露出量が相対的に小さい第２の状態と、に遷移可能にバンド２１を保持している。なお、リング部２５及びリング係止部２７が抜け止めとして機能するため、バンド２１は保持部３１から脱落することが抑制されている。
【００２６】
図４に、バンド２１により傘１を束ねた状態を示す。図４の例では、紐部２３を傘布１９の外側にて約１回巻き回し、リング部２５とリング係止部２７とを係止させている。このようにバンド２１により傘１が束ねられ、傘布１９が広がることが抑制される。なお紐部２３は傘１に複数回、巻き回された状態でリング部２５とリング係止部２７とを係止させるように長さが調整されていてもよい。
【００２７】
（１−２）効果
本実施形態の傘１では、バンド２１を紐部２３の長手方向に移動させることにより、バンド２１の傘布１９の表側部分における露出量を調整することができる。傘１において、バンド２１が大きく露出していると美観を損ねる恐れがあるが、バンド２１の露出量を低減させた状態とすることでバンド２１が傘１の美観を低下させることを抑制でき、傘布１９の美観向上を図ることができる。
【００２８】
なお、傘布１９の表側とは、例えば傘１を広げた状態における傘布１９の外側、つまり使用時に上側を向く側である。また、バンド２１の露出量とは、傘布１９の表側における傘布１９の厚さ方向の領域に存在するバンド２１の量である。言い換えると、傘布１９の表側において傘布１９のある対象領域の法線方向にある位置からその対象領域を見たときに、その対象領域と重なって視認される位置に存在するバンド２１の量とすることができる。
【００２９】
また、本実施形態の傘１では、紐部２３は伸縮性及び弾性を有しているため、紐部２３を使用するときに長く伸張させて用いることができる。よって紐部２３を使用しないときには紐部２３を小さくまとめることができ、バンド２１が大きく垂れ下がってしまうことを抑制できる。
【００３０】
なお、バンド２１の一部である紐部２３が本発明の伸縮部に該当する。紐部２３は弾性を有していない構成であっても良いが、弾性を有していると荷重を加えない状態では自然に長さが元に戻るため都合がよい。
【００３１】
また、本実施形態の傘１では、紐部２３は傘布１９と被覆布３５により形成された環状部３７にて移動可能に保持されているため、バンド２１の位置及び移動方向を安定させることができる。また、紐部２３を被覆布３５で覆うことで垂れ下がる紐部２３の長さが短くなり、美観の向上を図ることができる。
【００３２】
また、本実施形態の傘１では、保持部３１が上下方向（傘布１９の外縁から中央に向かう方向）に長さを有するように配置されているため、保持部３１が左右方向に配置される場合と比較して傘１を閉じるときの傘布１９の折り畳みを阻害しにくく都合がよい。
【００３３】
［２．第２実施形態］
（２−１）傘の構成
本実施形態の傘１０１は、傘の基本的な構造は第１実施形態と同様であるため、同様である部分の説明は割愛し、相違点を中心に説明する。図５（Ａ）〜（Ｃ）に示すように、傘１０１は、バンド１１１と、保持部１２１とを有する。
【００３４】
バンド１１１は、帯状部１１３と、伸縮部１１５と、装飾部１１７と、を有する。帯状部１１３は一方に長さを有する帯状であって、一端に装飾部１１７が取り付けられ、他端に伸縮部１１５が取り付けられる。伸縮部１１５は、帯状部１１３と比較して相対的に伸縮性及び弾性を有する部材であり、帯状部１１３に取り付けられる側と反対の端部１１５ａは傘布１９に取り付けられる。
【００３５】
装飾部１１７は、表側に装飾が施されており、裏面にスナップボタン１１９が取り付けられている。
保持部１２１は、傘布１９に形成され傘布１９の表側から裏側に繋がる開口１２３と、傘布１９の裏面に取り付けられた被覆布１２５と、を有する。
【００３６】
開口１２３は、隣り合う親骨１７の間の中央近傍に形成されており、帯状部１１３が移動可能な大きさであるが装飾部１１７が通過できない大きさとなっている。
傘布１９における開口１２３の近傍かつ装飾部１１７が配置される側とは反対の側には、スナップボタン１２９が配置される。このスナップボタン１２９は、スナップボタン１１９と対を成すものであり、それらを留めることで、スナップボタン１２９の位置に装飾部１１７を留めることができる。
【００３７】
被覆布１２５は一方に長さを有する矩形の布である。被覆布１２５は、その長さ方向が傘軸１１を中心とした円周方向に沿うように、かつ、隣り合う親骨１７の中央（図５（Ａ）における中央線１７ａ）を基準としていずれか一方側に寄せて配置される。また、被覆布１２５は長さ方向の一端が開口１２３近傍に配置される。
【００３８】
被覆布１２５の長さを有する側（長辺側）の外周部分１２５ａは傘布１９に貼り付けて固定されている。その結果、傘布１９と被覆布１２５とによって環状（筒状）の環状部１２７が形成される。帯状部１１３及び伸縮部１１５は環状部１２７の内部に形成される空間を移動可能となっている。
【００３９】
装飾部１１７が手などにより帯状部１１３の反対側に引き出されると、図５（Ｃ）に示すように、伸縮部１１５が伸びて帯状部１１３が開口１２３から突出し、環状部１２７の外側、即ち傘布１９の表側へ露出した状態（本発明における第１の状態）となる。装飾部１１７から手が離されると、伸縮部１１５の弾性力で図５（Ａ）に示す状態（本発明における第２の状態）に戻る。
【００４０】
図６（Ａ），（Ｂ）に、バンド１１１により傘１０１を束ねた状態を示す。図５（Ｃ）のようにバンド１１１を引き出した状態で、バンド１１１を傘布１９の外側にて約１回巻き回し、スナップボタン１１９とスナップボタン１２９とを留めている。この状態においては、図６（Ｂ）に示すように、帯状部１１３に示された模様１１３ａが傘１０１の表面に現れる。
【００４１】
（２−２）効果
本実施形態の傘１０１では、装飾部１１７を引き出すことにより、バンド１１１の傘布１９部分における露出量を調整することができる。傘１０１では、バンド１１１を露出させることにより、帯状部１１３の模様１１３ａを傘布１９の周囲に表示させることができ、傘布１９の美観向上を図ることができる。
【００４２】
また、本実施形態の傘１０１では、傘１０１を閉じてバンド１１１により束ねないときには環状部１２７に帯状部１１３が収納される結果、帯状部１１３の模様１１３ａが外部から視認されない。よって、バンド１１１を引き出すか否かにより傘１０１のデザインを変化させることができ、デザイン性を向上させることができる。
【００４３】
また、バンド１１１の一部が弾性を有する伸縮部１１５であるため、バンド１１１に荷重が加えられないときは自然に環状部１２７に収納されるため都合がよい。
［３．その他の実施形態］
以上本発明の実施形態について説明したが、本発明は、上記各実施形態に何ら限定されることはなく、本発明の技術的範囲に属する限り種々の形態をとり得ることはいうまでもない。その他の実施形態の一例を以下に示す。
【００４４】
（３Ａ）本発明を適用させる傘は、親骨１７を折り曲げることができる所謂折り畳み傘であってもよい。
（３Ｂ）被覆布３５、被覆布１２５は傘布１９の裏面に取りつけられる構成を例示したが、傘布１９の表側面に取り付けられていてもよい。その場合において、バンドの一部を傘布１９の裏面に突出させる必要が無ければ、傘布１９に開口を形成しなくともよい。
【００４５】
つまり、被覆布３５、被覆布１２５が傘布１９の表側面に設けられている場合、被覆布の表側が、本発明における傘布の表側に対応する部分となり、被覆布の裏側が、本発明における傘布の裏側に対応する部分となる。また、被覆布と傘布の間におけるバンドが出し入れ可能な範囲が、本発明における開口に対応する部分となる。
【００４６】
また別の言い方をすると、本発明の傘は、保持部として、傘布１９に設けられたシート状のシート部を有する構成とすることができる。その場合、バンドは、傘布１９とシート部との間の空間においてシート部により保持され、上記空間から該空間の外部に突出する突出量を変化可能に構成されており、該突出量が変化することで、バンドの露出量が変化するように構成される。
【００４７】
ここで、上述した被覆布３５、被覆布１２５、及びそれらが傘布１９の表面に設けられたものが、本発明のシート部の一例である。
（３Ｃ）第１実施形態においては、バンド２１の間隔を空けた２箇所において、傘１に巻き回した際に係止する第１係止部及び第２係止部（リング部２５、リング係止部２７）を設ける構成を例示した。また、第２実施形態においては、装飾部１１７（即ちバンド１１１の一部）と傘布１９に第１係止部及び第２係止部が（スナップボタン１１９、１２９）が設けられる構成を例示した。
【００４８】
しかしながら、バンドを係止するための構成は特に限定されない。例えば第２実施形態の装飾部１１７に変えて（或いは装飾部１１７に加えて）、図７（Ａ）に示すようなフック１４１を設け、バンド１１１を傘１０１に巻回した際には、フック１４１を、傘布に設けられた係止部１４３や、バンド１１１の一部（帯状部１１３又は伸縮部１１５など）、開口１２３などに引っ掛けて留める構成としてもよい。
【００４９】
（３Ｄ）バンドを設ける位置は特に限定されない。また環状部の方向も特に限定されない。例えば、第１実施形態のバンド２１及び保持部３１が、傘布１９の外縁部分において、その長さ方向が傘布１９の外縁に沿うように設けられていてもよい。
【００５０】
また、保持部の一部分のみが傘布１９の外縁部分に配されていてもよい。例えば図７（Ｂ）に示すように、傘布１９の外縁の折り返しを利用して環状部１６１を形成し、また、被覆布１６３を傘布１９の裏面に配して環状部１６５を形成する。そして、環状部１６１及び環状部１６５により形成された保持部１６７によってバンド２１が保持される構成とすることが考えられる。
【００５１】
リング部２５及びリング係止部２７は、開口１７１、１７３を通過して、傘布１９の表側に位置している。なお、紐部２３のいずれかの部位（図７（Ｂ）においてはリング係止部２７の近傍部分１７５）を、傘布１９又は被覆布１６３に固定してもよい。その場合、リング部２５に指を引っ掛けるなどして引き出したときにリング係止部２７が移動することが抑制され、操作が行い易くなる。このように紐部２３を固定することは、上述した実施形態において採用してもよい。
【００５２】
なお、上述した傘布１９の外縁の折り返しの部分、及び被覆布１６３は、上記（３Ｂ）にて説明した本発明のシート部の一例ともいえる。
（３Ｅ）環状部３７及び環状部１２７は筒状である構成を例示したが、これ以外の形状であってもよい。例えば図７（Ｃ）に示すように、１つ以上の環状体１５１から形成されていてもよい。
【００５３】
（３Ｆ）保持部の構成は、環状部３７，１２７を有する構成に限定されない。例えば、傘布１９にバンドの一端が固定されるとともに、そのバンドの少なくとも一部を覆い隠すことができるカバーが傘布１９の表側面に設けられており、カバーを開閉又は着脱することで、バンドの傘布１９への露出量が変化する構成としてもよい。
【００５４】
（３Ｇ）保持部は、バンドの露出量を変化可能に保持していれば、その露出量の変化量については特に限定されない。なお、露出量が相対的に小さい状態とは、バンド全体が露出せず隠れている状態であってもよい。また露出量が相対的に大きい状態とは、バンド全体が露出している状態であってもよい。
【符号の説明】
【００５５】
１…傘、１１…傘軸、１１ａ…上ロクロ、１３…石突、１５…握柄、１７…親骨、１７ａ…中央線、１９…傘布、２１…バンド、２３…紐部、２５…リング部、２７…リング係止部、３１…保持部、３３…開口、３５…被覆布、３５ａ…外周部分、３７…環状部、１０１…傘、１１１…バンド、１１３…帯状部、１１３ａ…模様、１１５…伸縮部、１１５ａ…端部、１１７…装飾部、１１９…スナップボタン、１２１…保持部、１２３…開口、１２５…被覆布、１２５ａ…外周部分、１２７…環状部、１２９…スナップボタン、１４１…フック、１４３…係止部、１５１…環状体
【図１】
2016214687.tif 000003
【図２】
2016214687.tif 000004
【図３】
2016214687.tif 000005
【図４】
2016214687.tif 000006
【図５】
2016214687.tif 000007
【図６】
2016214687.tif 000008
【図７】
2016214687.tif 000009